(57)【要約】【課題】タッチ操作入力と手書きペン操作入力の同時操作をしやすくし、利便性を向上させた電子機器を提供することが課題になっていた。【解決手段】タッチパネルに形成される入力部に対して、タッチ操作入力と手書き入力ペンによるペン操作入力を同時に行うことが可能な、実施形態の電子機器は、前記手書き入力ペンをホールドする手が指定されるホールド指定部を備える。  また、前記入力部に対する前記手書き入力ペンのペン先部の位置を検出するペン先部検出部を備える。  また、前記検出されたペン先部の位置と、前記指定された手書き入力ペンをホールドする手に応じ、前記手書き入力ペンのホールド部に対向する位置の前記入力部の一部は、前記タッチ操作入力が非検出となるように制御する制御部を備える。【選択図】  図１
2014203305.tif 000002
【特許請求の範囲】
【請求項１】
タッチパネルに形成される入力部に対して、タッチ操作入力と手書き入力ペンによるペン操作入力を同時に行うことが可能な電子機器において、
前記手書き入力ペンをホールドする手が指定されるホールド指定部と、
前記入力部に対する前記手書き入力ペンのペン先部の位置を検出するペン先部検出部と、
前記検出されたペン先部の位置と、前記指定された手書き入力ペンをホールドする手に応じ、前記手書き入力ペンのホールド部に対向する位置の前記入力部の一部は、前記タッチ操作入力が非検出となるように制御する制御部と、を備える電子機器。
【請求項２】
前記手書き入力ペンによるペン操作入力が行われる電子機器の向きが指定される向き指定部を備え、前記指定された電子機器の向きに応じ、前記入力部の一部は、前記タッチ操作入力が非検出となるように制御される請求項１に記載の電子機器。
【請求項３】
前記手書き入力ペンの傾き情報を受信可能な傾き情報受信部を備え、前記手書き入力ペンが所定の傾きである場合は、前記入力部の一部は、前記タッチ操作入力が非検出となるように制御される請求項１に記載の電子機器。
【請求項４】
前記手書き入力ペンによるペン操作入力が行われる電子機器の向きが指定される向き指定部、および、前記手書き入力ペンの傾き情報を受信可能な傾き情報受信部を備え、前記指定された電子機器の向きに応じ、および、前記手書き入力ペンが所定の傾きである場合は、前記入力部の一部は、前記タッチ操作入力が非検出となるように制御される請求項１に記載の電子機器。
【請求項５】
前記ホールド指定部の表示を表示可能な表示部を備える請求項１に記載の電子機器。
【請求項６】
前記向き指定部の表示を表示可能な表示部を備える請求項２に記載の電子機器。
【請求項７】
タッチパネルに形成される入力部に対して、タッチ操作入力と手書き入力ペンによるペン操作入力を同時に行うことが可能な電子機器において、
前記手書き入力ペンをホールドする手が指定されるホールド指定部と、
前記入力部に対する前記手書き入力ペンの消しゴム機能部の位置を検出する消しゴム機能部検出部と、
前記検出された消しゴム機能部の位置と、前記指定された手書き入力ペンをホールドする手に応じ、前記手書き入力ペンのホールド部に対向する位置の前記入力部の一部は、前記タッチ操作入力が非検出となるように制御する制御部と、を備える電子機器。
【請求項８】
タッチパネルに形成される入力部に対して、タッチ操作入力と手書き入力ペンによるペン操作入力を同時に行うことが可能な電子機器を制御する電子機器の制御方法において、
前記手書き入力ペンをホールドする手が指定されるステップと、
前記入力部に対する前記手書き入力ペンのペン先部の位置を検出するステップと、
前記検出されたペン先部の位置と、前記指定された手書き入力ペンをホールドする手に応じ、前記手書き入力ペンのホールド部に対向する位置の前記入力部の一部は、前記タッチ操作入力が非検出となるように制御するステップと、を備える電子機器の制御方法。
【請求項９】
タッチパネルに形成される入力部に対して、タッチ操作入力と手書き入力ペンによるペン操作入力を同時に行うことが可能な電子機器を制御する電子機器の制御プログラムにおいて、
前記手書き入力ペンをホールドする手が指定されるステップと、
前記入力部に対する前記手書き入力ペンのペン先部の位置を検出するステップと、
前記検出されたペン先部の位置と、前記指定された手書き入力ペンをホールドする手に応じ、前記手書き入力ペンのホールド部に対向する位置の前記入力部の一部は、前記タッチ操作入力が非検出となるように制御するステップと、を備える電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、表示画面を兼ねたタッチパネル（入力部）を用い、マルチタッチ操作等のタッチ操作入力や、手書き入力ペンによるペン操作入力等を行うことが可能な、例えば、タブレットやスマートフォン等の電子機器が普及している。
【０００３】
これらの電子機器には、タッチ操作入力と手書きペン操作入力のどちらも行うことが可能な電子機器もある。
【０００４】
しかし、例えば、ユーザが手書き入力ペンによるペン操作入力を行う際に、ペンを保持（ホールド）した手をタッチパネルに置くと、電子機器は、タッチ操作入力であると誤検出してしまうことがあり、問題になっていた。
【０００５】
この問題へ解決策として、例えば、ペン操作入力を行う際は、タッチ操作入力を検出しないようにする方法が考えられる。
【０００６】
しかし、これでは、例えば、ユーザが左手でタッチ操作入力を行いながら、右手で手書きペン操作入力を行うような、タッチ操作入力と手書きペン操作入力の同時操作入力がしにくくなり、不便であった。
【０００７】
このため、タッチ操作入力と手書きペン操作入力の同時操作をしやすくし、利便性を向上させた電子機器を提供することが課題になっていた。
【先行技術文献】
【特許文献】
【０００８】
【特許文献１】特開平１０−２４０４４２号公報
【発明の概要】
【発明が解決しようとする課題】
【０００９】
タッチ操作入力と手書きペン操作入力の同時操作をしやすくし、利便性を向上させた電子機器を提供することが課題になっていた。
【課題を解決するための手段】
【００１０】
タッチパネルに形成される入力部に対して、タッチ操作入力と手書き入力ペンによるペン操作入力を同時に行うことが可能な、実施形態の電子機器は、前記手書き入力ペンをホールドする手が指定されるホールド指定部を備える。
【００１１】
また、前記入力部に対する前記手書き入力ペンのペン先部の位置を検出するペン先部検出部を備える。
【００１２】
また、前記検出されたペン先部の位置と、前記指定された手書き入力ペンをホールドする手に応じ、前記手書き入力ペンのホールド部に対向する位置の前記入力部の一部は、前記タッチ操作入力が非検出となるように制御する制御部を備える。
【図面の簡単な説明】
【００１３】
【図１】実施形態に係わる電子機器の外観を示す図。
【図２】実施形態に係わる電子機器の入力部（タッチパネル）の構成の一例を示す図。
【図３】実施形態に係わる電子機器に手書き入力を行うことが可能な手書き入力ペンの構成の一例を示す図。
【図４】実施形態に係わる電子機器において、ユーザが手書きペン操作入力を行う際の電子機器の向き、および、手書き入力ペンをホールド（保持）する手が指定される表示画面の一例を示す図。
【図５】実施形態に係わる電子機器において、ユーザが手書きペン操作入力を行う際の電子機器の向き、および、手書き入力ペンをホールド（保持）する手が指定される表示画面の一例を示す図。
【図６】実施形態に係わる電子機器において、「書くモード」において、手書き入力を行うことが可能な手書き入力ペンが傾きを検出し、検出されたペンの傾きに応じて、電子機器が検出部（タッチパネル）にタッチ操作非検出部を設けるようすを示す図。
【図７】実施形態に係わる電子機器において、「消すモード」において、手書き入力を行うことが可能な手書き入力ペンが傾きを検出し、検出されたペンの傾きに応じて、電子機器が検出部（タッチパネル）にタッチ操作非検出部を設けるようすを示す図。
【図８】実施形態に係わる電子機器の構成の一例を示すブロック図。
【図９】実施形態に係わる電子機器において、「書くモード」において、手書き入力を行うことが可能な手書き入力ペンが傾きを検出し、検出されたペンの傾きに応じて、電子機器が検出部（タッチパネル）にタッチ操作非検出部を設けるようすを示す図。
【図１０】実施形態に係わる電子機器の「書くモード」の動作を説明するフローチャート。
【図１１】実施形態に係わる電子機器の「消すモード」の動作を説明するフローチャート。
【発明を実施するための形態】
【００１４】
以下、図面を参照し、実施の形態を説明する。
【００１５】
図１は、実施形態に係わる電子機器の外観を示す図である。
【００１６】
この実施形態において、電子機器（タブレット）１０は、映像表示部を兼ねた検出部を構成するタッチパネル１７を備えている。
【００１７】
そして、電子機器（タブレット）１０は、タッチパネル１７に形成される入力部に対して、タッチ操作入力と手書き入力ペンによるペン操作入力を同時に行うことが可能である。
【００１８】
ユーザは、例えば、「ＡＢＣ」と記されたロゴ４０が手前となるように、電子機器（タブレット）１０を横長に配置し、ユーザの指１１を用いてタッチパネル１７に触れ、タッチ操作入力（マルチタッチ操作）を行うことが可能である。
【００１９】
また、ユーザは、例えば、手書き入力ペン３０を用いてタッチパネル１７に触れ、同時に、手書き入力ペン３０によるペン操作入力も行うことが可能である。
【００２０】
このとき、後述するように、手書き入力ペン３０のホールド部３２に対向する位置の前記入力部（タッチパネル１７）の一部は、タッチ操作入力が非検出となるタッチ操作非検出部１２が設けられるように、例えば、ＣＰＵ１０１等によって制御される。
【００２１】
なお、ここでは、電子機器１０の一例としてタブレットを用いて説明を行うが、この実施形態においては、電子機器１０は、タブレットに限定されず、スマートフォンやテレビ等、他の電子機器にも適用することが可能である。
【００２２】
図２は、実施形態に係わる電子機器の入力部（タッチパネル）の構成の一例を示す図である。
【００２３】
この実施形態において、入力部（タッチパネル）１７は、ユーザのタッチ操作入力操作等を検出するタッチセンサ１７ａと、手書き入力ペン３０のペン先部３１等の位置および入力ペン３０による入力操作を検出可能なデジタイザ１７ｂを備えている。
【００２４】
ここで、タッチセンサ１７ａは、例えば、静電容量方式のタッチパネルで構成される。
【００２５】
静電容量方式のタッチパネルは、例えば、表面型と投影型があるが、両者ともユーザの指先と導電膜の間での静電容量の変化を捉え、位置を検出する。
【００２６】
また、指がセンサ（タッチセンサ１７ａ）の表面に近づくだけで静電結合が起きる性質を活かし、接触する前にカーソルを表示するといった表現や操作も可能である。
【００２７】
一般に、表面型の静電容量方式のタッチパネルは、カバー、導電膜、ガラス基板の３層を構成し、導電膜はガラス基板に張り付けられ、ガラス基板の四隅には電極が設けられている。そして、この導電膜によって均一な電界が形成される。
【００２８】
そして、ユーザの指が表示画面に触れると、駆動回路からの微弱電流が隅の端子、導電膜、カバーをすり抜け、指を経由して、大地を含む周辺環境と駆動回路との間で閉回路を構成する。そして、駆動回路側で四隅の端子の電流量の比率を計測することでユーザの指の位置を検出できる。
【００２９】
また、投影型の静電容量方式のタッチパネルは、指先の多点検出が可能である。一般に、投影型は、絶縁体フィルムとその下の電極層、さらに制御ＩＣを搭載する基板層から構成される。
【００３０】
絶縁体フィルムの下の電極層には、ＩＴＯ（Ｉｎｄｉｕｍ Ｔｉｎ Ｏｘｉｄｅ）等の透明電極によって、縦横２層からなる多数のモザイク状電極パターンが、ガラスやプラスチックなどの基板上に配置される。
【００３１】
そして、ユーザの指が触れると、その付近の電極の静電容量の変化を、縦横２つの電極列から知ることで位置を精密に検出することができる。この縦と横に走る多数の電極列によって、多点検出が可能となる。
【００３２】
デジタイザ１７ｂは、例えば、電磁誘導方式を用い、電子ペン（手書き入力ペン３０）を用いた入力操作を検出する。
【００３３】
電磁誘導方式では、例えば、センサ部を液晶画面の下に配置し、ペン操作入力のタッチパネルを構成する。
【００３４】
また、この実施形態では、タッチパネル１７は、静電容量方式のタッチセンサ１７ａと電磁誘導方式のデジタイザ１７ｂを構成している。
【００３５】
これにより、入力ペン３０でも、ユーザの指先１１でも、操作が可能である。また、電子ペン（入力ペン３０）を使えば筆圧やサイドスイッチ等を検出できる。
【００３６】
すなわち、この方式では、静電タッチの視認性を犠牲にせず、通常は、ペン（入力ペン３０）入力が不可能な静電タッチ（タッチセンサ１７ａ）上で、高精細な電磁誘導ペンを使用することが可能である。
【００３７】
しかし、例えば、ユーザが手書き入力ペン３０によるペン操作入力を行う際に、ペン３０を保持（ホールド）した手（図示せず）をタッチパネル１７に置いてしまうと、電子機器１０は、タッチパネル１７に置かれた手をタッチ操作入力として検出してしまうことがあり、この実施形態においては、この問題を解決する（後述）。
【００３８】
図３は、実施形態に係わる電子機器に手書き入力を行うことが可能な手書き入力ペンの構成の一例を示す図である。
【００３９】
手書き入力ペン３０は、ユーザの右手または左手でホールド（保持）され、タッチパネル１７に対してペン操作入力が行われる。
【００４０】
図３に示すように、この実施形態に係わる手書き入力ペン３０は、ユーザによりホールド（保持）される部分であるホールド部３２、タッチパネル１７に対するペン操作入力が意識され、いわゆるペン先に相当する部分であるペン先部３１を備えている。このペン先部３１は、例えば、手書き入力による「書く」モードで使用される。
【００４１】
ここでは、ペン先部３１は、実質的に、電磁コイル（第１コイル３１ａ）を内蔵している。そして、電子機器１０への入力動作中（「書く」モード）は、例えば、デジタイザ１７ｂから磁場を発生させ、手書き入力ペン３０の先（ペン先部３１）についている電磁コイル（第１コイル３１ａ）がデジタイザ１７ｂに近づくと、電磁誘導の原理で磁界に変化が生じ、その変化を検出することで、手書き入力ペン３０の位置を検出する。
【００４２】
また、この実施形態においては、手書き入力ペン３０は、ホールド部３２を挟んで、ペン先部３１に対向する位置に、消しゴム機能部３３を備えている。この消しゴム機能部３３は、例えば、手書き入力による「消す」モードで使用される。
【００４３】
また、ここでは、消しゴム機能部３３は、実質的に、電磁コイル（第２コイル３３ａ）を内蔵している。そして、電子機器１０への入力動作中（「消す」モード）は、例えば、デジタイザ１７ｂから磁場を発生させ、手書き入力ペン３０の頭（消しゴム機能部３３）についている電磁コイル（第２コイル３３ａ）がデジタイザ１７ｂに近づくと、電磁誘導の原理で磁界に変化が生じ、その変化を検出することで、手書き入力ペン３０の位置を検出する。
【００４４】
スイッチ部３６は、例えば、手書き入力による「書く」モードと「消す」モードを切り替えるスイッチである。
【００４５】
ユーザがこのスイッチ部３６を切り替え操作することで、手書き入力による「書く」モードと「消す」モードが切り替えられる。
【００４６】
また、例えば、ホールド部３２には、手書き入力ペン３０の傾き（傾き情報）を検出することが可能な傾き検出部３４、および、この傾き検出部３４で検出された手書き入力ペン３０の傾き情報を電子機器１０に対して送信可能な傾き情報送信部３５を備えている。
【００４７】
この傾き検出部３４は、例えば、ジャイロセンサを、また、傾き情報送信部３５は、例えば、送信モジュールを備えている。
【００４８】
図４は、実施形態に係わる電子機器において、ユーザが手書きペン操作入力を行う際の電子機器の向き、および、手書き入力ペンをホールド（保持）する手が指定される表示画面の一例を示す図である。
【００４９】
図４に示すように、ユーザに対して電子機器１０が横長に配置された状態において、ユーザが手書きペン操作入力を行う際の電子機器の向きを指定することが可能な表示画面の一例を示している。
【００５０】
図４（ａ）は、手書きペン操作入力を行う電子機器１０の向きが指定される表示画面の一例である。
【００５１】
ここでは、タッチパネルを兼ねた映像表示部１７に、「手書きペン操作入力は、電子機器の向きが、横長／縦長のどちらで入力しますか？」と表示され、ユーザがペン操作入力を行う電子機器１０の向きを、例えば、横長の向き、または、縦長の向きから指定できるようにしている。
【００５２】
そして、ここでは、ユーザの指１１によって、ペン操作入力を行う際の電子機器１０の向きは「横長」４１が指定されている。
【００５３】
図４（ｂ）は、ユーザが手書き入力ペンをホールド（保持）する手が指定される表示画面の一例である。
【００５４】
ここでは、上記のように、指定された「横長入力」の向きで、映像表示部１７に、「手書き入力ペンを持つ手を指定してください。」と表示され、ユーザが手書き入力ペン３０を持つ手を、例えば、右手、または、左手から指定できるようにしている。
【００５５】
ここでは、ユーザの指１１によって、「右手」４２で入力ペン３０をホールド（保持）することが指定されている。
【００５６】
図４（ｃ）は、上記のように指定された状態、すなわち、ユーザがペン操作入力を行う際の電子機器１０の向きは「横長」４１、また、ユーザは「右手」４２で入力ペン３０をホールド（保持）する状態を示している。
【００５７】
この実施形態においては、入力部（タッチパネルを兼ねた映像表示部）１７の一部、すなわち、手書き入力ペン３０のホールド部３２に対向する位置の入力部（タッチパネルを兼ねた映像表示部）１７は、図４（ｃ）に示すように、タッチ操作非検出部１２を設け、タッチ操作入力が非検出となるように制御する。
【００５８】
これにより、ユーザが「右手」４２で入力ペン３０をホールド（保持）してペン操作入力を行う際に、「右手」が入力部（タッチパネルを兼ねた映像表示部）１７にタッチしても検出されないようにすることが可能である。
【００５９】
また、この実施形態においては、タッチ操作非検出部１２以外の入力部（タッチパネルを兼ねた映像表示部）１７は、タッチ操作入力が可能である。
【００６０】
図５は、実施形態に係わる電子機器において、ユーザが手書きペン操作入力を行う際の電子機器の向き、および、手書き入力ペンをホールド（保持）する手が指定される表示画面の一例を示す図である。
【００６１】
図５に示すように、ユーザに対して電子機器１０が横長に配置された状態において、ユーザが手書きペン操作入力を行う際の電子機器の向きを指定することが可能な表示画面の一例を示している。
【００６２】
図５（ａ）は、手書きペン操作入力を行う電子機器１０の向きが指定される表示画面の一例である。
【００６３】
ここでは、タッチパネルを兼ねた映像表示部１７に、「手書きペン操作入力は、電子機器の向きが、横長／縦長のどちらで入力しますか？」と表示され、ユーザがペン操作入力を行う電子機器１０の向きを、例えば、横長の向き、または、縦長の向きから指定できるようにしている。
【００６４】
そして、ここでは、ユーザの指１１によって、ペン操作入力を行う際の電子機器１０の向きは「縦長」４１が指定されている。
【００６５】
図５（ｂ）は、ユーザが手書き入力ペンをホールド（保持）する手が指定される表示画面の一例である。
【００６６】
ここでは、上記のように、指定された「縦長入力」の向きで、映像表示部１７に、「手書き入力ペンを持つ手を指定してください。」と表示され、ユーザが手書き入力ペン３０を持つ手を、例えば、右手、または、左手から指定できるようにしている。
【００６７】
ここでは、ユーザの指１１によって、「右手」５２で入力ペン３０をホールド（保持）することが指定されている。
【００６８】
図５（ｃ）は、上記のように指定された状態、すなわち、ユーザがペン操作入力を行う際の電子機器１０の向きは「縦長」５１、また、ユーザは「右手」５２で入力ペン３０をホールド（保持）する状態を示している。
【００６９】
この実施形態においても、入力部（タッチパネルを兼ねた映像表示部）１７の一部、すなわち、手書き入力ペン３０のホールド部３２に対向する位置の入力部（タッチパネルを兼ねた映像表示部）１７は、図５（ｃ）に示すように、タッチ操作非検出部１２を設け、タッチ操作入力が非検出となるように制御する。
【００７０】
これにより、ユーザが「右手」５２で入力ペン３０をホールド（保持）してペン操作入力を行う際に、「右手」が入力部（タッチパネルを兼ねた映像表示部）１７にタッチしても検出されないようにすることが可能である。
【００７１】
また、この実施形態においても、タッチ操作非検出部１２以外の入力部（タッチパネルを兼ねた映像表示部）１７は、タッチ操作入力が可能である。
【００７２】
図６は、実施形態に係わる電子機器において、「書くモード」において、手書き入力を行うことが可能な手書き入力ペンが傾きを検出し、検出されたペンの傾きに応じて、電子機器が検出部（タッチパネル）にタッチ操作非検出部を設けるようすを示す図である。
【００７３】
ペン先部３１の位置は、例えば、上記のように、タッチパネル１７のデジタイザ１７ｂを用いて検出される。
【００７４】
図６（ａ）は、ユーザが手書き入力ペン３０を右手でホールドしてペン操作入力（書くモード）を行うようすを示している。
【００７５】
ここでは、上記のように、ユーザが手書き入力ペン３０を右手でホールドすることが指定されている。
【００７６】
そして、図に示すように、手書き入力ペン３０に構成される傾き検出部３４により、手書き入力ペン３０の傾きが検出され、傾き情報送信部３５から電子機器１０の傾き情報受信部１３５（図８）に向けて、傾き情報が送信される。
【００７７】
そして、この傾きが、所定の値（例えば、１０°以上８５°以下）である場合は、右手でホールドする場合の、手書き入力ペン３０のホールド部３２に対向する位置の入力部（タッチパネル）１７に、タッチ操作非検出部１２を設ける。
【００７８】
また、傾きが、所定の値ではない場合は、このタッチ操作非検出部１２は設けないようにすることも可能である。
【００７９】
図６（ｂ）は、ユーザが手書き入力ペン３０を左手でホールドしてペン操作入力（書くモード）を行うようすを示している。
【００８０】
ここでは、ユーザが手書き入力ペン３０を左手でホールドすることが指定されている。
【００８１】
そして、図に示すように、手書き入力ペン３０に構成される傾き検出部３４により、手書き入力ペン３０の傾きが検出され、傾き情報送信部３５から電子機器１０の傾き情報受信部１３５（図８）に向けて、傾き情報が送信される。
【００８２】
そして、この傾きが、所定の値（例えば、１０°以上８５°以下）である場合は、左手でホールドする場合の、手書き入力ペン３０のホールド部３２に対向する位置の入力部（タッチパネル）１７に、タッチ操作非検出部１２を設ける。
【００８３】
また、傾きが、所定の値ではない場合は、このタッチ操作非検出部１２は設けないようにすることも可能である。
【００８４】
図７は、実施形態に係わる電子機器において、「消すモード」において、手書き入力を行うことが可能な手書き入力ペンが傾きを検出し、検出されたペンの傾きに応じて、電子機器が検出部（タッチパネル）にタッチ操作非検出部を設けるようすを示す図である。
【００８５】
上記のように、消しゴム機能部３３の位置は、例えば、タッチパネル１７のデジタイザ１７ｂを用いて検出することが可能である。
【００８６】
図７（ａ）は、ユーザが手書き入力ペン３０を右手でホールドしてペン操作入力（消すモード）を行うようすを示している。
【００８７】
ここでは、上記のように、ユーザが手書き入力ペン３０を右手でホールドすることが指定されている。
【００８８】
そして、図に示すように、手書き入力ペン３０に構成される傾き検出部３４により、手書き入力ペン３０の傾きが検出され、傾き情報送信部３５から電子機器１０の傾き情報受信部１３５（図８）に向けて、傾き情報が送信される。
【００８９】
そして、この傾きが、所定の値（例えば、１０°以上８５°以下）である場合は、右手でホールドする場合の、手書き入力ペン３０のホールド部３２に対向する位置の入力部（タッチパネル）１７に、タッチ操作非検出部１２を設ける。
【００９０】
また、傾きが、所定の値ではない場合は、このタッチ操作非検出部１２は設けないようにすることも可能である。
【００９１】
図７（ｂ）は、ユーザが手書き入力ペン３０を左手でホールドしてペン操作入力（消すモード）を行うようすを示している。
【００９２】
ここでは、ユーザが手書き入力ペン３０を左手でホールドすることが指定されている。
【００９３】
そして、図に示すように、手書き入力ペン３０に構成される傾き検出部３４により、手書き入力ペン３０の傾きが検出され、傾き情報送信部３５から電子機器１０の傾き情報受信部１３５（図８）に向けて、傾き情報が送信される。
【００９４】
そして、この傾きが、所定の値（例えば、１０°以上８５°以下）である場合は、左手でホールドする場合の、手書き入力ペン３０のホールド部３２に対向する位置の入力部（タッチパネル）１７に、タッチ操作非検出部１２を設ける。
【００９５】
また、傾きが、所定の値ではない場合は、このタッチ操作非検出部１２は設けないようにすることも可能である。
【００９６】
図８は、実施形態に係わる電子機器の構成の一例を示すブロック図である。
【００９７】
これらの構成の少なくとも一部は、例えば、電子機器（タブレット）１０内に電子部品として収容される。
【００９８】
この電子機器（タブレットＰＣ）１０は、ＣＰＵ（ｃｅｎｔｒａｌ ｐｒｏｃｅｓｓｉｎｇ ｕｎｉｔ）１０１、ノースブリッジ１０２、主メモリ１０３、サウスブリッジ１０４、ＧＰＵ（Ｇｒａｐｈｉｃｓ Ｐｒｏｃｅｓｓｉｎｇ Ｕｎｉｔ）１０５、ＶＲＡＭ（ビデオＲＡＭ:ｒａｎｄｏｍ ａｃｃｅｓｓ ｍｅｍｏｒｙ）１０５Ａ、サウンドコントローラ１０６、ＢＩＯＳ−ＲＯＭ（ｂａｓｉｃ ｉｎｐｕｔ／ｏｕｔｐｕｔ ｓｙｓｔｅｍ−ｒｅａｄ ｏｎｌｙ ｍｅｍｏｒｙ）１０７、ＬＡＮ（ｌｏｃａｌ ａｒｅａ ｎｅｔｗｏｒｋ）コントローラ１０８を備えている。
【００９９】
また、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備えている。
【０１００】
また、ＣＰＵ１０１は、電子機器（タブレットＰＣ）１０内の各部の動作を制御するプロセッサである。
【０１０１】
ＣＰＵ１０１は、ＢＩＯＳ−ＲＯＭ１０７に格納されたＢＩＯＳを実行する。ＢＩＯＳは、ハードウェア制御のためのプログラムである。
【０１０２】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、ＰＣＩ ＥＸＰＲＥＳＳ規格のシリアルバスなどを介してＧＰＵ１０５との通信を実行する機能も有している。
【０１０３】
ＧＰＵ１０５は、電子機器（タブレットＰＣ）１０のディスプレイモニタとして使用される映像表示部（ＬＣＤ）１７を制御する表示コントローラである。
【０１０４】
このＧＰＵ１０５によって生成される表示信号は映像表示部（ＬＣＤ）１７に送られる。また、ＧＰＵ１０５は、ＨＤＭＩ（登録商標）制御回路３およびＨＤＭＩ（登録商標）端子２を介して、外部ディスプレイ１にデジタル映像信号を送出することもできる。
【０１０５】
ＨＤＭＩ（登録商標）端子２は、前述の外部ディスプレイ接続端子である。ＨＤＭＩ（登録商標）端子２は、非圧縮のデジタル映像信号とデジタルオーディオ信号とを１本のケーブルでテレビのような外部ディスプレイ１に送出することができる。
【０１０６】
ＨＤＭＩ（登録商標）制御回路３は、ＨＤＭＩ（登録商標）モニタと称される外部ディスプレイ１にデジタル映像信号を、ＨＤＭＩ（登録商標）端子２を介して送出するためのインタフェースである。
【０１０７】
サウスブリッジ１０４は、ＰＣＩ（Ｐｅｒｉｐｈｅｒａｌ Ｃｏｍｐｏｎｅｎｔ Ｉｎｔｅｒｃｏｎｎｅｃｔ）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【０１０８】
さらに、サウスブリッジ１０４は、サウンドコントローラ１０６との通信を実行する機能も有している。
【０１０９】
サウンドコントローラ１０６は音源デバイスであり、再生対象のオーディオデータをスピーカ１８、または、ＨＤＭＩ（登録商標）制御回路３に出力する。
【０１１０】
ＬＡＮコントローラ１０８は、例えばＩＥＥＥ ８０２．３規格の有線通信を実行する有線通信デバイスであり、一方、無線ＬＡＮコントローラ１１２は、例えばＩＥＥＥ  ８０２．１１ｇ規格の無線通信を実行する無線通信デバイスである。
【０１１１】
ＵＳＢコントローラ１１１Ａは、（ＵＳＢコネクタ１９を介して接続される）例えばＵＳＢ ２．０規格に対応した外部機器との通信を実行する。
【０１１２】
例えば、ＵＳＢコントローラ１１１Ａは、例えば、デジタルカメラに格納されている画像データファイルを受信するために使用される。
【０１１３】
カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【０１１４】
ＥＣ１１３は、電力管理のためのエンベデッドコントローラである。
【０１１５】
ＥＣ１１３は、ユーザによるパワーボタン１４の操作に応じて電子機器（タブレットＰＣ）１０を電源オン／電源オフする機能を有している。
【０１１６】
この実施の形態における表示制御は、例えばＣＰＵ１０１が主メモリ１０３やＨＤＤ１０９等に記録されたプログラムを実行させることにより行われる。
【０１１７】
また、この実施形態に係る電子機器（タブレットＰＣ）１０は、例えば、手書き入力ペン３０に設けられた傾き情報送信部３５から送信された手書き入力ペン３０の傾き情報を、受信する傾き情報受信部を備えている。
【０１１８】
この手書き入力ペン３０の傾き情報は、電子機器１０内部で検出され、例えば、ＣＰＵ１０１によって、手書き入力ペン３０のホールド部３２に対向する位置の入力部（タッチセンサ１７ａ）の一部は、タッチ操作入力が非検出（タッチ操作非検出部１２）となるように制御される。
【０１１９】
図９は、実施形態に係わる電子機器において、「書くモード」において、手書き入力を行うことが可能な手書き入力ペンが傾きを検出し、検出されたペンの傾きに応じて、電子機器が検出部（タッチパネル）にタッチ操作非検出部を設けるようすを示す図である。
【０１２０】
図９（ａ）は、手書き入力ペン３０のホールド部３２に対向する位置に設けられるタッチ操作非検出部１２を、手書き入力ペン３０をホールドするユーザの右手と同程度の範囲の大きさとなるようにする例を示している。
【０１２１】
これにより、手書き入力ペン３０のホールド部３２に対向する位置の右手と同程度の範囲を除き、タッチパネル１７はユーザのタッチ操作をセンスすることができる。
【０１２２】
図９（ｂ）は、タッチ操作非検出部１２を、手書き入力ペン３０をホールドするユーザの右手より大きい範囲となるようにする例を示している。
【０１２３】
これにより、例えば、ユーザが誤って、手書き入力ペン３０のホールド部３２に対向する位置近傍のタッチ操作を行っても、これを防止することが可能になる。
【０１２４】
図９（ｃ）は、タッチ操作非検出部１２を、手書き入力ペン３０と同程度の範囲となるようにする例を示している。
【０１２５】
これにより、例えば、ユーザは、広い範囲のタッチパネル１７にタッチ操作を行うことができる。
【０１２６】
図１０は、実施形態に係わる電子機器の「書くモード」の動作を説明するフローチャートである。
【０１２７】
上記説明したように、例えば、手書き入力ペン３０およびペン先部３１は、手書き入力による「書く」モードで使用される。
【０１２８】
ステップＳ１００は、ここでの開始ステップである。続いて、ステップＳ１０１に進む。
【０１２９】
ステップＳ１０は、手書きペン操作入力が行われる電子機器１０の向き（横長／縦長等）を、ユーザが指定し、電子機器１０に設定するステップである。続いて、ステップＳ１０２に進む。
【０１３０】
ステップＳ１０２は、電子機器１０の向きは設定されているかを検出するステップである。電子機器１０の向きは設定されていると検出される場合は、ステップＳ１０３に進む（Ｙｅｓ）。電子機器１０の向きは設定されていないと検出される場合は、ここでの処理を繰り返す（Ｎｏ）。
【０１３１】
ステップＳ１０３は、手書き入力を行うペン３０をホールドする（持つ）手（右手／左手）をユーザが指定し、電子機器１０に設定するステップである。続いて、ステップＳ１０４に進む。
【０１３２】
ステップＳ１０４は、ペン３０をホールドする（持つ）手は設定されているかを検出するステップである。ペン３０をホールドする（持つ）手は設定されていると検出される場合は、ステップＳ１０５に進む（Ｙｅｓ）。ペン３０をホールドする（持つ）手は設定されていると検出されない場合は、ここでの処理を繰り返す（Ｎｏ）。
【０１３３】
ステップＳ１０５は、タッチパネル１７に対するペン先部３１の位置を検出するステップである。
【０１３４】
このタッチパネル１７に対するペン先部３１の位置の検出は、例えば、デジタイザ１７ｂから発生する磁場を用い、ペン先部３１内部または近傍に設けられた第１コイル３１ａがタッチパネル１７に近づいたり、遠ざかったりした場合の磁場の変化を検出し、タッチパネル１７に対するペン先部３１（手書き入力ペン３０）の位置を検出することで実現可能である。続いて、ステップＳ１０６に進む。
【０１３５】
ステップＳ１０６は、ペン先部３１はタッチパネル１７に対し、所定の距離（例えば、１ｃｍ〜５ｃｍ程度）以内であるかを検出するステップである。ペン先部３１はタッチパネル１７に対し、所定の距離以内であると検出される場合は、ステップＳ１０７に進む（Ｙｅｓ）。ペン先部３１はタッチパネル１７に対し、所定の距離以内であると検出されない場合は、ここでの処理を繰り返す（Ｎｏ）。
【０１３６】
ステップＳ１０７は、傾き検出部３４で検出されたペン３０の傾きの情報（傾き情報）を受信するステップである。続いて、ステップＳ１０８に進む。
【０１３７】
ステップＳ１０８は、ペン３０は、例えば、１０°以上等の、予め決められた所定の傾きであるかを検出するステップである。ペン３０は、所定の傾きであると検出される場合は、ステップＳ１０９に進む（Ｙｅｓ）。ペン３０は、所定の傾きであると検出されない場合は、ここでの処理を繰り返す（Ｎｏ）。
【０１３８】
ステップＳ１０９は、上記のように設定された、電子機器１０の向き、ペン先部３１の位置、ペン３０をホールドする（持つ）手等に応じ、ペン３０が所定の傾きの場合は、設定された向きにおいて、ペン先部３１を除く、少なくともペン３０のホールド部３２に対向する位置のタッチセンサ（入力部）１７の一部を、タッチ操作入力非検出にする。
【０１３９】
例えば、この実施形態においては、図９（ａ）、（ｂ）、（ｃ）等に示すように、設定された横長の向きにおいて、ユーザがペン３０をホールドする（持つ）右手の位置、すなわち、ペン３０のホールド部３２に対向する位置のタッチセンサ１７ａの一部にタッチ操作非検出部１２を設ける。続いて、ステップＳ１０１に進み、上記処理を繰り返す。
【０１４０】
図１１は、実施形態に係わる電子機器の「消すモード」の動作を説明するフローチャートである。
【０１４１】
上記説明したように、例えば、手書き入力ペン３０および消しゴム機能部３３は、手書き入力による「消す」モードで使用される。
【０１４２】
ステップＳ２００は、開始ステップである。続いて、ステップＳ２０１に進む。
【０１４３】
ステップＳ２０１は、手書きペン操作入力が行われる電子機器１０の向き（横長／縦長等）を、ユーザが指定し、電子機器１０に設定するステップである。続いて、ステップＳ２０２に進む。
【０１４４】
ステップＳ２０２は、電子機器１０の向きは設定されているかを検出するステップである。電子機器１０の向きは設定されていると検出される場合は、ステップＳ２０３に進む（Ｙｅｓ）。電子機器１０の向きは設定されていると検出されない場合は、ここでの処理を繰り返す（Ｎｏ）。
【０１４５】
ステップＳ２０３は、手書き入力を行うペン３０をホールドする（持つ）手（右手／左手）をユーザが指定し、電子機器１０に設定するステップである。続いて、ステップＳ２０４に進む。
【０１４６】
ステップＳ２０４は、ペン３０をホールドする（持つ）手は設定されているかを検出するステップである。ペン３０をホールドする（持つ）手は設定されていると検出される場合は、ステップＳ２０５に進む（Ｙｅｓ）。ペン３０をホールドする（持つ）手は設定されていると検出されない場合は、ここでの処理を繰り返す（Ｎｏ）。
【０１４７】
ステップＳ２０５は、タッチパネル１７に対する消しゴム機能部３３の位置を検出するステップである。
【０１４８】
この実施形態においては、例えば、デジタイザ１７ｂから発生する磁場を用い、消しゴム機能部３３内部または近傍に設けられた第２コイル３３ａがタッチパネル１７に近づいたり、遠ざかったりした場合の磁場の変化を検出し、タッチパネル１７に対する消しゴム機能部３３（手書き入力ペン３０）の位置を検出する。続いて、ステップＳ２０６に進む。
【０１４９】
ステップＳ２０６は、消しゴム機能部３３はタッチパネル１７に対し、所定の距離（数ｃｍ程度）以内であるかを検出するステップである。消しゴム機能部３３はタッチパネル１７に対し、所定の距離以内であると検出される場合は、ステップＳ２０７に進む（Ｙｅｓ）。消しゴム機能部３３はタッチパネル１７に対し、所定の距離以内であると検出されない場合は、ここでの処理を繰り返す（Ｎｏ）。
【０１５０】
ステップＳ２０７は、傾き検出部３４で検出されたペン３０の傾き情報を受信するステップである。続いて、ステップＳ２０８に進む。
【０１５１】
ステップＳ２０８は、ペン３０は、例えば、１０°以上等の、予め設定された所定の傾きであるかを検出するステップである。ペン３０は、所定の傾きであると検出される場合は、ステップＳ２０９に進む（Ｙｅｓ）。ペン３０は、所定の傾きであると検出されない場合は、ここでの処理を繰り返す（Ｎｏ）。
【０１５２】
ステップＳ２０９は、上記のように設定された電子機器１０の向き、消しゴム機能部３３の位置、ペン３０をホールドする（持つ）手に応じ、設定された向きにおいて、消しゴム機能部３３を除く、少なくともペン３０のホールド部３２に対向する位置のタッチセンサ１７の一部をタッチ操作入力非検出にする。
【０１５３】
ここでは、例えば、図９（ａ）、（ｂ）、（ｃ）等に示すように、設定された横長の向きにおいて、ユーザがペン３０をホールドする（持つ）右手の位置、すなわち、ペン３０のホールド部３２に対向する位置のタッチセンサ１７ａの一部にタッチ操作非検出部１２を設ける。
【０１５４】
続いて、ステップＳ２０１に進み、上記処理を繰り返す。
【０１５５】
上記のように、この実施形態に係る電子機器１０は、映像表示部を兼ねたタッチパネル（入力部）１７に対して、タッチ操作入力と手書き入力ペンによるペン操作入力を同時に行うことが可能である。
【０１５６】
そして、前記手書き入力ペンをホールドする手が指定されるホールド指定部を備える（例えば、図４（ｂ）、図５（ｂ））。
【０１５７】
また、前記入力部に対する前記手書き入力ペン３０のペン先部３１の位置を検出するペン先部検出部（例えば、デジタイザ１７ｂ）を備える。
【０１５８】
また、前記検出されたペン先部３１の位置と、前記指定された手書き入力ペン３０をホールドする手に応じ、前記手書き入力ペン３０のホールド部３２に対向する位置の前記入力部（タッチパネル）１７の一部は、前記タッチ操作入力が非検出（タッチ操作非検出部１２）となるように制御する制御部（ＣＰＵ１０１等）を備える。
【０１５９】
また、この実施形態に係る電子機器１０は、前記手書き入力ペン３０によるペン操作入力が行われる電子機器１０の向きが指定される向き指定部（例えば、図４（ａ）、図５（ａ））を備え、前記指定された電子機器１０の向きに応じ、前記入力部（タッチパネル）１７の一部は、前記タッチ操作入力が非検出（タッチ操作非検出部１２）となるように制御される。
【０１６０】
また、この実施形態に係る電子機器１０は、前記手書き入力ペン３０の傾き情報を受信可能な傾き情報受信部１３５を備え、前記手書き入力ペン３０が所定の傾きである場合は、前記入力部（タッチパネル）１７の一部は、前記タッチ操作入力が非検出（タッチ操作非検出部１２）となるように制御される。
【０１６１】
また、この実施形態に係る電子機器１０は、前記手書き入力ペン３０によるペン操作入力が行われる電子機器１０の向きが指定される向き指定部（例えば、図４（ａ）、図５（ａ））、および、前記手書き入力ペン３０の傾き情報を受信可能な傾き情報受信部１３５を備え、前記指定された電子機器１０の向きに応じ、および、前記手書き入力ペン３０が所定の傾きである場合は、前記入力部（タッチパネル）１７の一部は、前記タッチ操作入力が非検出（タッチ操作非検出部１２）となるように制御される。
【０１６２】
また、この実施形態に係る電子機器１０は、前記ホールド指定部の表示を表示可能な表示部（図４（ｂ）、図５（ｂ））および、前記向き指定部の表示を表示可能な表示部（図４（ａ）、図５（ａ））を備える。
【０１６３】
また、この実施形態に係る電子機器１０は、タッチパネルに形成される入力部１７に対して、タッチ操作入力と手書き入力ペンによるペン操作入力を同時に行うことが可能である。
【０１６４】
そして、前記手書き入力ペン３０をホールドする手が指定されるホールド指定部（図４（ｂ）、図５（ｂ））を備える。
【０１６５】
また、前記入力部（タッチパネル）１７に対する前記手書き入力ペン３０の消しゴム機能部３３の位置を検出する消しゴム機能部検出部（デジタイザ１７ｂ）を備える。
【０１６６】
また、前記検出された消しゴム機能部３３の位置と、前記指定された手書き入力ペン３０をホールドする手に応じ、前記手書き入力ペン３０のホールド部３２に対向する位置の前記入力部（タッチパネル）１７の一部は、前記タッチ操作入力が非検出（タッチ操作非検出部１２）となるように制御する制御部（ＣＰＵ１０１）を備える。
【０１６７】
すなわち、この実施形態においては、手書き入力ペン（タッチペン）３０に傾き検出部（ジャイロセンサ等）３４を搭載し、手書き入力ペン（タッチペン）３０のペン先部３１と手書き入力ペン（タッチペン）３０の傾きを用い、タッチ操作の入力部（タッチパネル）１７の一部に入力不可領域（タッチ操作非検出部１２）を設け、この入力不可領域（タッチ操作非検出部１２）内では、誤ったタッチ操作が行われることを防止する。
【０１６８】
上記のように構成することによって、この実施形態においては、タッチ操作入力と手書きペン操作入力の同時操作をしやすくし、利便性を向上させた電子機器を提供することが可能になる。
【０１６９】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１７０】
なお、上記実施形態は、記述そのものに限定されるものではなく、実施段階では、その趣旨を逸脱しない範囲で、構成要素を種々変形して具体化することが可能である。
【０１７１】
また、上記実施形態に開示されている複数の構成要素の適宜な組み合せにより種々の発明を形成できる。
【０１７２】
例えば、実施形態に示される全構成要素から幾つかの構成要素を削除してもよい。更に、異なる実施形態に亘る構成要素を適宜組み合せてもよい。
【符号の説明】
【０１７３】
１０…電子機器（タブレット）、１１…ユーザの指、１２…タッチ操作非検出部、１７…映像表示部（タッチパネル）、３０…手書き入力ペン、４０…ロゴ。
【図１】
2014203305.tif 000003
【図２】
2014203305.tif 000004
【図３】
2014203305.tif 000005
【図４】
2014203305.tif 000006
【図５】
2014203305.tif 000007
【図６】
2014203305.tif 000008
【図７】
2014203305.tif 000009
【図８】
2014203305.tif 000010
【図９】
2014203305.tif 000011
【図１０】
2014203305.tif 000012
【図１１】
2014203305.tif 000013